(57)【要約】      （修正有）【課題】Ｘ線造影糸を構成要素とするガーゼであって、Ｘ線造影糸の脱落が顕著に抑制されているＸ線造影ガーゼを提供する。【解決手段】Ｘ線造影ガーゼは、綿糸からなる緯糸と経糸とを互いに直交または略直交させたガーゼであって、緯糸および／または経糸の少なくとも１本がＸ線造影糸条に置換されており、Ｘ線造影糸条が、複数のＸ線造影糸と少なくとも１本の綿糸との束を、少なくとも１本の綿糸で巻き付けることにより束ねられたものである。【選択図】  図１
2006051209.tif 000002
【特許請求の範囲】
【請求項１】
綿糸からなる緯糸と経糸とを互いに直交または略直交させたガーゼであって、
当該緯糸および／または経糸の少なくとも１本がＸ線造影糸条に置換されており、
当該Ｘ線造影糸条が、複数のＸ線造影糸と少なくとも１本の綿糸との束を、少なくとも１本の綿糸で巻き付けることにより束ねられたものであることを特徴とするＸ線造影ガーゼ。
【請求項２】
上記Ｘ線造影糸が、Ｘ線非透過性物質を含むポリプロピレン樹脂からなるものである請求項１に記載のＸ線造影ガーゼ。
【請求項３】
上記Ｘ線非透過性物質が硫酸バリウムである請求項２に記載のＸ線造影ガーゼ。
【請求項４】
上記Ｘ線造影糸条が、更にポリエステル系フィラメントにより束ねられたものである請求項１〜３のいずれかに記載のＸ線造影ガーゼ。
【発明の詳細な説明】
【技術分野】
【０００１】
本発明は、体内での残留の有無をＸ線検査により確認することができるＸ線造影ガーゼに関するものである。
【背景技術】
【０００２】
外科手術の際には、出血を拭き取るなどの目的のために多数のガーゼが使用されるが、体内においては血液等を吸収したガーゼは肉眼による識別が難しいために、ガーゼの残留事故が起こる場合がある。体内に残留したガーゼは、痛みや違和感或いは微熱等、様々な身体の不調をきたすことから、手術を終了するに当たっては、全てのガーゼを体内から取り除く必要がある。そこで、ガーゼの一部をＸ線造影糸で構成し、手術部位を閉じる前にＸ線検査をすることによって、ガーゼの残留の有無を確認することが行なわれている。
【０００３】
ところがＸ線造影糸は、綿糸よりなるガーゼから脱落し易いという問題がある。つまり、Ｘ線造影糸は、ポリプロピレン等の有機高分子樹脂に硫酸バリウム等のＸ線非透過性物質を加えて繊維状にしたものであるが、この有機高分子樹脂は表面が円滑で綿糸との摩擦係数が小さい。それに加えて、Ｘ線非透過性物質が多量に添加されていることから、Ｘ線造影糸の可撓性は低く、綿糸に比して屈曲し難い。その結果、ガーゼが小さくなればなる程、また、ガーゼを折り曲げるなどした場合において、Ｘ線造影糸がガーゼから抜け落ちるおそれがある。そこで、Ｘ線造影糸のガーゼからの脱落を抑制するための技術が、これまでにも種々考案されている。
【０００４】
例えば特許文献１には、木綿の経糸と緯糸が交互に交差して平織りされたガーゼ本体に、Ｘ線造影糸と織り糸とが互いにもじれながら織り込まれているガーゼが開示されている。また、特許文献２の内視鏡用布帛の構成要素であるＸ線非透過性熱可塑性樹脂性糸条は、Ｘ線非透過性物質を含有するポリプロピレン系フィラメントに、ポリエステル系フィラメントが巻き付けられているものであり、ポリプロピレン系フィラメントに割れが生じても、柔軟なポリエステル系フィラメントにより、その脱落が抑制されている。更に、特許文献３には、Ｘ線非透過性の熱可塑性樹脂製糸条の少なくとも一部が、ガーゼに熱融着されている内視鏡用ガーゼが開示されている。また、Ｘ線造影糸に対して平行に近接する複数本の構成糸を、Ｘ線造影糸を含んで互いに接触するように密に織り込むことによりＸ線造影糸の脱落を抑制することが、従来より行なわれている。
【０００５】
しかし、やはりＸ線造影糸と綿糸とは互いに滑り易いことから、Ｘ線造影糸の脱落をより一層効果的に抑制する工夫が求められていた。
【０００６】
また、特許文献４には、Ｘ線造影糸がガーゼ等の衛生材料にミシン糸としてミシン縫いされているＸ線造影糸付き衛生材料が記載されている。しかし、当該衛生材料を製造するには、ミシン縫いという全く異質な工程が必要であり、従来のガーゼ等の製造設備を有効利用するという観点からは、産業上不利であるといえる。即ち、既存の製造設備を利用するとすれば、ガーゼを構成する綿糸をＸ線造影糸に置換した上で、Ｘ線造影糸の脱落を抑制する様に工夫する方が好ましい。
【特許文献１】特開２００２−１４３２１２号公報（特許請求の範囲，図１）
【特許文献２】特開２００２−３２５７７５号公報（請求項１，段落［００１６］，図１）
【特許文献３】特開２００２−５２０３８号公報（請求項１，図）
【特許文献４】特開２００３−３１９９６６号公報（請求項１）
【発明の開示】
【発明が解決しようとする課題】
【０００７】
上述した様に、Ｘ線造影糸を織り込む等によって、体内に残留していないかＸ線で確認することができるガーゼには、Ｘ線造影糸が脱落し易いという欠点があるので、これまでにも斯かる脱落を抑制する工夫がされてきた。しかし、ガーゼ自体や生分解性でない有機高分子が体内に少量でも残留することは好ましくないことから、より効果的な技術が求められている。
【０００８】
そこで、本発明が解決すべき課題は、Ｘ線造影糸を構成要素とするガーゼであって、Ｘ線造影糸の脱落が顕著に抑制されているＸ線造影ガーゼを提供することにある。
【課題を解決するための手段】
【０００９】
本発明者らは、上記課題を解決すべく、Ｘ線造影糸の織り込み方について種々検討を重ねた。先ず、Ｘ線造影糸の束に綿糸を螺旋状に巻き付け束ね、これをガーゼに織り込んだところ、一定の効果を得ることができた。しかし、まだＸ線造影糸の滑り易さを完全に克服するには至らなかったことから、更に工夫を重ねたところ、Ｘ線造影糸と綿糸とを束とし、これに綿糸を巻き付け束ねたところ、Ｘ線造影糸の脱落を顕著に抑制できることを見出して、本発明を完成した。
【００１０】
即ち、本発明のＸ線造影ガーゼは、綿糸からなる緯糸と経糸とを互いに直交または略直交させたガーゼであって、当該緯糸および／または経糸の少なくとも１本がＸ線造影糸条に置換されており、当該Ｘ線造影糸条が、複数のＸ線造影糸と少なくとも１本の綿糸（以下、「綿糸Ａ」という）との束を、少なくとも１本の綿糸（以下、「綿糸Ｂ」という）で巻き付けることにより束ねられたものであることを特徴とする。
【００１１】
上記Ｘ線造影糸としては、Ｘ線非透過性物質を含むポリプロピレン樹脂からなるものが好ましく、また、Ｘ線非透過性物質が硫酸バリウムであるものが好ましい。更に、上記Ｘ線造影糸条は、綿糸のほか、更にポリエステル系フィラメントにより束ねられていることが好ましい。
【発明の効果】
【００１２】
本発明のＸ線造影ガーゼは、ガーゼ本体からＸ線造影糸が抜け落ちる可能性が顕著に低減されており、外科手術等に使用する場合にも、Ｘ線造影糸が体内で脱落して生体に悪影響を与えたり、Ｘ線検査でガーゼが発見できず体内に残留するといったおそれがない。従って、本発明のＸ線造影ガーゼは、実際の外科手術等で利用できるものとして極めて有用なものである。その上、本発明のＸ線造影ガーゼは、既存のガーゼ製造設備を大幅に変更することなく製造できることから、産業上有利でもある。
【発明を実施するための最良の形態】
【００１３】
以下に、本発明の実施形態とその効果について説明する。
【００１４】
本発明のＸ線造影ガーゼの基本部分は、綿糸からなる緯糸と経糸とを互いに直交または略直交させ平織りした従来のガーゼであるが、緯糸および／または経糸の少なくとも１本が、特定のＸ線造影糸条に置換されていることに要旨を有する。そして、このＸ線造影糸条は、複数のＸ線造影糸と少なくとも１本の綿糸（綿糸Ａ）との束を、少なくとも１本の綿糸（綿糸Ｂ）で巻き付けることにより束ねられたものである。
【００１５】
Ｘ線造影糸条は、ポリプロピレン，シリコン，塩化ビニル等の高分子樹脂に、硫酸バリウム等のＸ線非透過性物質を加えて均一に混合し、糸状にしたものである。ここで、高分子樹脂とＸ線非透過性物質は、生体に悪影響を及ぼさないものであれば特にその種類は問わず、また、これらの混合割合は、例えば約３０：７０〜７０：３０とし、更に他の添加成分を加えてもよい。いずれにせよ、Ｘ線造影糸は、従来のものを適用することができる。
【００１６】
本発明のＸ線造影糸条では、太さ：１５０〜２５０デシテックス程度のＸ線造影糸３０〜５０本（好ましくは、３５〜４５本）と、綿糸（綿糸Ａ）とを束にする。この綿糸Ａは、Ｘ線造影糸と略平行に配置されており、後述する別の綿糸Ｂ（これらＸ線造影糸等を束ねるためのもの）との摩擦力を高め、Ｘ線造影糸を抜け落ち難くするという作用を有する。従って、この綿糸Ａは、複数のＸ線造影糸中に埋もれてしまわない様に一番外側に配置する必要があるため、Ｘ線造影糸の束に対してゆるい螺旋状に配置してもよい（図１を参照）。この綿糸Ａの数は特に制限されないが、例えばＸ線造影糸の束の全面を覆う様に配置すると、却ってＸ線造影糸が脱落し易くなってしまうことから、好適には１〜数本とし、より好ましくは１本または２本とし、最適には１本とする。
【００１７】
このＸ線造影糸と綿糸Ａとの束は、綿糸Ｂにより束ねる。この綿糸Ｂは、Ｘ線造影糸等を束ねるだけでなく、ガーゼを構成する他の綿糸（特に、Ｘ線造影糸条と直交する方向の綿糸）との摩擦力を増加させ、Ｘ線造影糸を抜け難くする作用を有する。綿糸Ｂは、Ｘ線造影糸条の複数箇所を輪状に固定するものであってもよいが、綿糸Ｂが解けて脱落するおそれもあることから、好ましくはＸ線造影糸等に螺旋状に巻き付く構成をとる（図１を参照）。
【００１８】
綿糸ＢをＸ線造影糸に巻き付ける回数は、綿糸の太さ等に応じて適宜調整すればよい。つまり、巻き付け回数が多過ぎるとＸ線造影糸が肉眼で確認し難くなり、手術部における肉眼でのガーゼ発見が困難になる一方で、少な過ぎるとＸ線造影糸の脱落防止作用を発揮できなくなるので、実際の製造条件を変えながら調整する。より具体的には、例えば４０番手の綿糸を使用した場合には、これに限定されるものではないが、Ｘ線造影糸１ｍ当たり３００〜６００回の範囲で巻き付けることができる。
【００１９】
以上で説明した本発明のＸ線造影糸条の模式図を、図１として示す。
【００２０】
本発明のＸ線造影糸条は、ポリエステル系フィラメントが螺旋状に巻き付けられていてもよい。前述した様に、綿糸Ｂは、Ｘ線造影糸と綿糸Ａを束ねると共にＸ線造影糸条をガーゼから抜け落ち難くする作用を有するが、Ｘ線造影糸を束ねる目的のみであれば、ポリエステル系フィラメントの方が使い易い。また、先ずＸ線造影糸をポリエステル系フィラメントにより束ねた後、これと綿糸Ａとを合わせたものに綿糸Ｂを巻き付ければ、綿糸ＡがＸ線造影糸に埋もれてしまうのを防止できる。
【００２１】
上記Ｘ線造影糸条は、ガーゼの緯糸および／または経糸の少なくとも１本と置換して用いる。Ｘ線造影糸条の数は特に問わないが、数が多ければ脱落する可能性も増すので、好適には、使用するガーゼ当たり１〜３本のＸ線造影糸条を挿入する。好ましくは、２本のＸ線造影糸条を挿入する。Ｘ線検査時における発見し易さと、Ｘ線造影糸条の脱落性の両方を考慮したものである。勿論、ガーゼの製造時には、例えば緯糸として多数のＸ線造影糸条を挿入し、使用時に最低１本のＸ線造影糸条が含まれる様にガーゼを切断してもよい。
【００２２】
本発明のＸ線造影ガーゼには、Ｘ線造影糸の脱落を防止する従来技術を適用してもよい。例えば、ガーゼの縁と直交する綿糸をはみ出させたり（いわゆる、「耳」）、縁と平行な綿糸の密度を縁周辺で高めたり、或いは縁をかがる等することによって、綿糸の脱落を防止してもよい。また、Ｘ線造影糸条と平行の綿糸の密度をＸ線造影糸条近辺で高めることによって、Ｘ線造影糸の脱落を抑制してもよい。更に、Ｘ線造影糸が熱可塑性樹脂を含む場合には、Ｘ線造影糸条の少なくとも一部をガーゼに熱融着させてもよい。
【００２３】
以上説明した通り、本発明のＸ線造影ガーゼは、Ｘ線造影糸の脱落が顕著に抑制されている。即ち、Ｘ線造影糸条が引っ張られても、Ｘ線造影糸条中で螺旋状に巻き付いている綿糸ＢとＸ線造影糸条と直交するガーゼ綿糸が逐一接触するために、抜け落ち難くなっている。また、Ｘ線造影糸中、Ｘ線造影糸と共に略平行に束ねられている綿糸Ａの作用によって、綿糸ＢからもＸ線造影糸が抜け落ち難くなっている。従って、本発明のＸ線造影ガーゼは、実際の外科手術等で使用した際にも、Ｘ線造影糸やガーゼ自体の残留の可能性が顕著に低減されている。
【００２４】
以下に、実施例を示すことにより本発明を更に詳細に説明するが、本発明の範囲はこれらに限定されるものではない。
【実施例】
【００２５】
製造例１
ガーゼを構成する綿糸としては、４０番手のものを使用した。また、Ｘ線造影糸の成分組成は、ポリプロピレン樹脂：４０％，硫酸バリウム：６０％とし、太さは１９０〜２３０デシテックスとした。このＸ線造影糸４０本にポリエステル系フィラメント１本を螺旋状に巻き付けて束ね、この束と綿糸１本とに綿糸１本を螺旋状に巻き付け、Ｘ線造影糸条を作成した。
【００２６】
上記綿糸を緯糸と経糸とし、緯糸１本の代わりに上記Ｘ線造影糸条を挿入し、１ｃｍ2当たり緯糸１２本，経糸１２本となる様に平織りして、縦約３０ｃｍ，横約５ｃｍの矩形ガーゼを２０枚作成した。但し、Ｘ線造影糸条に接する部分では、経糸４本を互いに接する様に密に織り込み、また、経糸と平行な両端部では、ほつれを防止するために経糸４本を密に織り込んだ。また、引張試験に供するために、Ｘ線造影糸条は、ずらして（その一端がガーゼからはみ出る様に）織り込み、更にＸ線造影糸条が引抜ける際の強度を正確に測定するために、両端部において密に織り込んだ部分を裁断した。作成したＸ線造影ガーゼの写真を、図２として示す。
【００２７】
比較製造例１
上記製造例１において、Ｘ線造影糸４０本をポリエステル系フィラメント１本のみで束ねてＸ線造影糸条とした以外は同様の手法によって、２０枚のガーゼを作成した。
【００２８】
試験例１  引張試験
上記製造例１と比較製造例１のガーゼについて、Ｘ線造影糸を引き抜く際の抵抗力を、引張試験機を用いて測定した。具体的には、引張試験機（(株)オリエンテック製，テンシロン万能試験機 RTE-1210）のチャックに、はみ出させたＸ線造影糸条と他端のガーゼ（Ｘ線造影糸条をはさまない様に注意した）とをチャック間距離２５ｃｍではさみ、引張速度２００ｍｍ／分で最大荷重（Ｎ）を測定した。また、ガーゼが血液等を吸収した際を想定して、生理食塩水に１０分間浸漬することによりガーゼを湿潤させ、同様に引張試験を行なった。それぞれの結果を、１０例ずつの平均値として表１に示す。
【００２９】
【表１】
2006051209.tif 000003
【００３０】
当該結果より、従来のＸ線造影ガーゼは、Ｘ線造影糸条を引っ張ると徐々に抜け出、その際に斯かる荷重も小さいことが分かる。一方、本発明のＸ線造影ガーゼは、乾燥時と湿潤時のいずれにおいてもＸ線造影糸条を引っ張る際の荷重が大きく、Ｘ線造影糸条が抜け出るよりもＸ線造影糸が破断する程であった。従って、本発明のＸ線造影ガーゼはＸ線造影糸条が抜け落ちるおそれが極めて低く、外科手術等に適用できるものとして有用であることが実証された。
【図面の簡単な説明】
【００３１】
【図１】本発明に係るＸ線造影ガーゼの構成要素であるＸ線造影糸条の模式図である。
【図２】製造例１で作成した本発明のＸ線造影ガーゼの写真である。図中、はみ出したＸ線造影糸条とガーゼの他端とを、引張試験機のチャックに挟んだ。
【符号の説明】
【００３２】
１  ：  Ｘ線造影糸の束
２  ：  綿糸Ａ
３  ：  綿糸Ｂ
【図１】
2006051209.tif 000004
【図２】
2006051209.tif 000005